Podtech/llm-jp-corpus-v4-ja_patent huggingface dataset:
【手続補正書】
【提出日】平成27年5月26日(2015.5.26)
【手続補正１】
【補正対象書類名】特許請求の範囲
【補正対象項目名】全文
【補正方法】変更
【補正の内容】
【特許請求の範囲】
【請求項１】
方法であって、
第１ユーザーのソーシャル・グラフに基づいて、前記第１ユーザーと関連のある１人以上の他のユーザーを特定するステップと、
少なくとも１人の前記１人以上の他のユーザーの内のそれぞれについて、当該他のユーザーのアバターを入手するステップと、
前記少なくとも１人の前記１人以上の他のユーザーの内のそれぞれについて、入手した当該他のユーザーのアバターを、前記第１ユーザーがプレーしているゲーム内の非プレーヤー・キャラクターとして含ませるステップと、
前記１人以上の他のユーザーの内特定の１人について前記入手したアバターと対話する前記第１ユーザーのユーザー要求を受けて、前記特定の１人のユーザーに前記ゲームへの参加を誘うステップと
を含む、方法。
【請求項２】
請求項１記載の方法において、前記含ませるステップが、各入手したアバターを、前記ゲーム内で前記第１ユーザーのアバターを応援する非プレーヤー・キャラクターとして含ませるステップを含む、方法。
【請求項３】
請求項１記載の方法において、前記含ませるステップが、前記１人以上の他のユーザーの内の１人について前記入手したアバターを、前記ゲームの以前のプレーの間に前記第１ユーザーが進んだ前記ゲーム内の経路を辿るゴースト・アバターとして含ませるステップを含む、方法。
【請求項４】
請求項１記載の方法において、前記含ませるステップが、前記入手したアバターを有する前記他の１人のユーザーが以前にゲームをプレーしていた間に、前記ゲーム内で前記入手したアバターが死んだ位置に、前記１人以上の他のユーザーの内の１人について前記入手したアバターの多数のコピーを、死んだアバターとして含ませるステップを含む、方法。
【請求項５】
請求項１記載の方法において、前記第１ユーザーがオンライン・ゲーミング・サービスにログインしており、前記１人以上の他のユーザーの内の少なくとも１人が、前記オンライン・ゲーミング・サービスに現在はログインしていないユーザーを含む、方法。
【請求項６】
請求項１記載の方法において、前記含ませるステップが、前記他のユーザーの内の１人が前記第１ユーザーと同じオンライン・ゲーミング・サービスにログインしている場合に、当該他のユーザーについて前記入手したアバターを、特定の外観を有するように表示し、前記他のユーザーの内の前記１人が前記第１ユーザーと同じオンライン・ゲーミング・サービスに現在はログインしていない場合に、当該他のユーザーについて前記入手したアバターを、異なる外観を有するように表示するステップを含む、方法。
【請求項７】
請求項１記載の方法において、前記ユーザー要求が、可聴呼び出し(audible call)を含む、方法。
【請求項８】
請求項１記載の方法において、前記ユーザー要求が、前記第１ユーザーのアバターと、前記第１ユーザーによってプレーされているゲーム内の非プレーヤー・キャラクターとして含められる前記特定の１人のユーザーについての前記アバターとの間の対話を含む、方法。
【請求項９】
請求項１記載の方法であって、更に、
前記特定の１人のユーザーが誘いを受理したことに応答して、前記第１ユーザーおよび前記特定の１人のユーザーを前記ゲーム内に参加させるステップを含む、方法。
【請求項１０】
方法であって、
第１ユーザーのソーシャル・グラフに基づいて特定される第２ユーザーのアバターを、前記第１ユーザーがプレーしている第１ゲーム内の非プレーヤー・キャラクターとして含ませるステップと、
前記第１ゲーム内で前記第２ユーザーのアバターと対話または意思疎通するために、前記第１ユーザーのユーザー要求を受けるステップであって、該ユーザー要求は、前記第２ユーザーが前記第１ユーザーと共にゲーム内に参加するための誘いを含む、ステップと、
前記第２ユーザーがプレーしている第２ゲーム内で、前記第２ユーザーに対する提示のために前記誘いの指示を供給するステップと
を含む、方法。
【請求項１１】
請求項１０記載の方法において、前記第２ゲームが前記第1ゲームとは異なるゲームである、方法。
【請求項１２】
請求項１０記載の方法において、前記第１ゲームが第１ゲーム・タイトルのゲームであり、前記第２ゲームが前記第1ゲーム・タイトルとは異なるゲーム・タイトルのゲームである、方法。
【請求項１３】
請求項１０記載の方法において、前記含ませるステップが、前記第２ユーザーが第１ユーザーと同じオンライン・ゲーミング・サービスにログインしている場合にのみ、前記第１ゲーム内で非プレーヤー・キャラクターとして前記第２ユーザーのアバターを含めるステップを含む、方法。
【請求項１４】
請求項１０記載の方法において、前記含ませるステップが、前記第２ユーザーが第１ユーザーと同じオンライン・ゲーミング・サービスにログインしていることを示す外観と共に、前記第２ユーザーのアバターを表示するステップを含む、方法。
【請求項１５】
請求項１０記載の方法において、前記第２ユーザーが前記ソーシャル・グラフにおいて前記第１ユーザーの複数の友達の内の１人として特定されている、方法。
【請求項１６】
請求項１０記載の方法において、前記ユーザー要求が可聴入力(audible input)を含む、方法。
【請求項１７】
請求項１０記載の方法において、前記ユーザー要求が、前記第２ユーザーのアバターと対話するように、前記第１ユーザーのアバターを制御するユーザー入力を含む、方法。
【請求項１８】
請求項１０記載の方法であって、更に、前記第２ユーザーからの前記誘いの受理の指示を受けたことに応答して、前記第１ユーザーおよび前記第２ユーザーをゲーム内に参加させるステップを含む、方法。
【請求項１９】
複数の命令を格納した１つ以上のコンピューター・ストレージ媒体であって、１つ以上のプロセッサーによって実行されると、該１つ以上のプロセッサーに、
第１ユーザーのソーシャル・グラフに基づいて、前記第１ユーザーと関連のある複数の他のユーザーを特定させ、
少なくとも１人の前記複数の他のユーザーのそれぞれについて、当該他のユーザーのアバターを入手させ、
前記少なくとも１人の前記複数の他のユーザーのそれぞれについて、前記入手した当該他のユーザーのアバターを、前記第１ユーザーがプレーしている第１ゲーム内の非プレーヤー・キャラクターとして含ませ、
第２ユーザーのアバターと対話または意思疎通するために、前記第１ユーザーのユーザー要求を受けさせ、前記第２ユーザーが前記複数の他のユーザーの内の１人であり、前記ユーザー要求は、前記第２ユーザーが前記第１ユーザーと共にゲーム内に参加する誘いを含み、前記誘いが、前記第１ユーザーのアバターおよび前記第２ユーザーのアバターの間の対話であり、
前記第２ユーザーが前記第1ゲームとは異なるゲームをプレーしている間に、前記第２ユーザーへの誘いの指示を提示させる、
コンピュータ−・ストレージ媒体。
【請求項２０】
請求項１８記載の方法において、前記参加させるステップが、前記第１ユーザおよび前記第２ユーザを前記第１ゲーム内に参加させるステップを含む、方法。
【手続補正書】
【提出日】平成27年11月6日(2015.11.6)
【手続補正１】
【補正対象書類名】特許請求の範囲
【補正対象項目名】全文
【補正方法】変更
【補正の内容】
【特許請求の範囲】
【請求項１】
液体懸濁液から基板上にコーティングを施すための溶射システムであって、
プラズマを発生させるための溶射トーチと、
サブミクロンの粒子を有する前記液体懸濁液の流れを配送するための液体懸濁液配送サブシステムと、
プラズマ放出物を生成するために、前記溶射トーチから前記液体懸濁液に前記プラズマを配送するノズル・アセンブリであって、前記プラズマ放出物を実質的に囲む不活性ガス・シュラウドを提供するように構成されたノズル・アセンブリとを備え、
前記不活性シュラウドは、前記プラズマ放出物中に前記サブミクロンの粒子の同伴を実質的に維持し、ガスが前記プラズマ放出物に進入して反応するのを実質的に阻止するように構成されている、溶射システム。
【請求項２】
前記シュラウドは、前記ノズル・アセンブリから前記基板表面まで延在する、請求項１に記載の溶射システム。
【請求項３】
前記シュラウドは、層状に流れるシールドである、請求項１に記載の溶射システム。
【請求項４】
前記シュラウドは、前記ノズルから前記基板表面までの距離よりも短い軸方向距離を有する、請求項１に記載の溶射システム。
【請求項５】
前記シュラウドは、前記基板に向かって発散する、請求項４に記載の溶射システム。
【請求項６】
前記シュラウドは、前記基板に向かって収束する、請求項４に記載の溶射システム。
【請求項７】
前記液体懸濁液配送サブシステムは、前記液体懸濁液の前記流れを囲む不活性又は反応性のガス・シースを提供するように構成されたインジェクタを備える、請求項１に記載の溶射システム。
【請求項８】
前記液体懸濁液配送サブシステムは、前記ノズルの外部に構成される、請求項１に記載の溶射システム。
【請求項９】
前記液体懸濁液配送サブシステムは、前記ノズルの内部に構成される、請求項１に記載の溶射システム。
【請求項１０】
前記液体懸濁液配送サブシステムは、前記液体懸濁液の軸方向流れを配送するように前記ノズルの内部に構成される、請求項１に記載の溶射システム。
【請求項１１】
前記液体懸濁液配送サブシステムは、前記液体懸濁液システムの近位で同期しているガス・アシストの流れをさらに備える、請求項８に記載の溶射システム。
【請求項１２】
サブミクロンの粒子が中に分散した液体懸濁液を使用して基板上にコーティングを施す方法であって、
溶射トーチからプラズマを発生させるステップと、
プラズマ放出物の流れを提供するために、サブミクロンの粒子が中に分散された液体懸濁液の流れを前記プラズマまで又はその近傍まで配送するステップと、
シュラウドされた放出物を提供するために、不活性ガス・シュラウドで前記放出物の流れを囲むステップと、
前記シュラウドされた放出物内に巻き込まれた前記サブミクロンの粒子を保持するステップと、
前記基板を被膜するために、前記サブミクロンの粒子を中に含んだ前記シュラウドされた放出物を前記基板の方向に向けるステップとを含む、方法。
【請求項１３】
前記シュラウドされた放出物中へのガスの巻き込みを実質的に防止するステップをさらに含む、請求項１２に記載の方法。
【請求項１４】
前記シュラウドのいたるところで前記液体懸濁液の液滴を断片化するステップをさらに含む、請求項１２に記載の方法。
【請求項１５】
前記基板表面から既定の軸方向距離において前記シュラウドを選択的に除去するステップと、
前記既定の軸方向距離とその下流において周囲のガスを導入するステップと、
前記サブミクロンの粒子の一部分を酸化するステップとをさらに含む、請求項１２に記載の方法。
【請求項１６】
前記既定の軸方向距離において前記シュラウドを収束させるステップをさらに含む、請求項１５に記載の方法。
【請求項１７】
前記既定の軸方向距離における周囲のガスの導入を可能にするように、前記放出物の流れから離れるように前記シュラウドを発散させるステップをさらに含む、請求項１５に記載の方法。
【請求項１８】
ガス・シースで前記液体懸濁液を囲むステップをさらに含む、請求項１２に記載の方法。
【請求項１９】
前記懸濁液の噴射の近位で同期して噴射されるガス流を導入するステップをさらに含む、請求項１８に記載の方法。
【請求項２０】
前記サブミクロンの粒子は、１０ミクロン以下の平均粒径を有する、請求項１８に記載の方法。
【請求項２１】
請求項１２に記載のプロセスにより調製された、前記基板上に堆積されたコーティング。
【手続補正書】
【提出日】平成27年10月23日(2015.10.23)
【手続補正１】
【補正対象書類名】特許請求の範囲
【補正対象項目名】全文
【補正方法】変更
【補正の内容】
【特許請求の範囲】
【請求項１】
電子デバイスを分析する方法であって、
電子デバイスをキオスクの検査エリア内に受領することと、
ロボットフィンガを前記キオスクの検査エリア内で動かして前記電子デバイスを起動することと、
前記電子デバイスが作動している間、前記電子デバイスの画像を記憶することと、
前記画像を自動的に検査することと、
自動的に前記画像を検査した結果に基づき、前記電子デバイスの価値を決定することを含む方法。
【請求項２】
前記電子デバイスの価値を決定した後に、前記電子デバイスを自動的に破棄することをさらに含む、請求項１に記載の方法。
【請求項３】
前記ロボットフィンガを用いて試験用電話番号を前記電子デバイスに対してダイアルすることをさらに含む、請求項１に記載の方法。
【請求項４】
前記ロボットフィンガを用いて前記電子デバイスのカメラモードを起動することをさらに含む、請求項１に記載の方法。
【請求項５】
前記電子デバイスのアバウトページを明らかにするために、前記ロボットフィンガを用いて前記電子デバイスのメニューを誘導することをさらに含む、請求項１に記載の方法。
【請求項６】
前記ロボットフィンガを用いて前記電子デバイスの物理的ボタンを操作することをさらに含む、請求項１に記載の方法。
【請求項７】
前記ロボットフィンガを用いて前記電子デバイスのタッチスクリーン上のバーチャルボタンを操作することをさらに含む請求項１に記載の方法。
【請求項８】
前記ロボットフィンガを用いて試験用文字を、前記電子デバイスに入力することをさらに含む、請求項１に記載の方法。
【請求項９】
前記ロボットフィンガを用いて前記電子デバイスのファンクションキーを操作することをさらに含む、請求項１に記載の方法。
【請求項１０】
電子デバイスを分析するための装置であって、
電子デバイスを受領するように構成された検査エリアと、前記検査エリア内部の透明プレートと、前記電子デバイスが前記透明プレート上に置かれる間、前記電子デバイスと接触するように構成されたロボットフィンガと、前記電子デバイスが前記透明プレート上に置かれる間、前記電子デバイスの画像を記憶するように構成されたカメラと、前記カメラおよび前記ロボットフィンガと通信するプロセッサとを備え、前記プロセッサは、前記画像を自動的に検査した結果に基づき、前記電子デバイスの価値を決定するように構成される装置。
【請求項１１】
前記ロボットフィンガは、前記電子デバイスが前記透明プレート上に置かれる間、前記子デバイスのキーボードを操作するように構成される、請求項１０に記載の装置。
【請求項１２】
前記ロボットフィンガは、人の皮膚に似たポリマー材料で構成される検査端を有する、請求項１０に記載の装置。
【請求項１３】
前記ロボットフィンガは、前記電子デバイスのタッチスクリーンをスワイプするように構成される、請求項１０に記載の装置。
【請求項１４】
前記電子デバイスは、携帯電話、タブレットコンピュータまたはＭＰ３プレーヤである、請求項１０に記載の装置。
【請求項１５】
前記ロボットフィンガは、多次元動作のために複数の指骨および関節を有する、請求項１０に記載の装置。
【請求項１６】
前記ロボットフィンガは、３６０度回転用の回転ベースを有する、請求項１０に記載の装置。
【請求項１７】
前記ロボットフィンガは、垂直または水平動作のためのアクチュエータを有する、請求項１０に記載の装置。
【請求項１８】
前記ロボットフィンガは、前記ロボットフィンガのサイズおよび形状に合わせて寸法を変えるための複数のモジュールコンポーネントを備える、請求項１０に記載の装置。
【請求項１９】
前記ロボットフィンガは、前記電子デバイスのポートへ接続するための電気接続部を備える、請求項１０に記載の装置。
【手続補正書】
【提出日】平成27年9月14日(2015.9.14)
【手続補正１】
【補正対象書類名】特許請求の範囲
【補正対象項目名】全文
【補正方法】変更
【補正の内容】
【特許請求の範囲】
【請求項１】
偏光サブシステムであって、
第１の結像器と、
前記第１の結像器からの結像光を受光する偏光ビームスプリッタであり、反射性偏光子を備える偏光ビームスプリッタと、を備え、
前記反射性偏光子が、多層光学フィルムを備え、
前記偏光ビームスプリッタが、観察者又はスクリーンに向かって結像光を反射し、更に、前記結像光が、１２マイクロメートル未満の有効画素解像度で観察者又はスクリーンに向かって前記偏光ビームスプリッタから反射する、偏光サブシステム。
【請求項２】
偏光ビームスプリッタであって、
第１のカバーと第２のカバーとの間に配置され多層光学フィルムを備える反射性偏光子を備え、
前記偏光ビームスプリッタが、観察者又はスクリーンに向かって結像光を反射することができ、前記結像光の有効画素解像度が、前記偏光ビームスプリッタからの反射後に１２マイクロメートル未満である、偏光ビームスプリッタ。
【請求項３】
投影サブシステムであって、
光源と、
前記光源からの光を受光する偏光ビームスプリッタであり、該偏光ビームスプリッタが反射性偏光子を備え、前記反射性偏光子が多層光学フィルムを備える、偏光ビームスプリッタと、
前記偏光ビームスプリッタに隣接して配置された第１の結像器と、
前記偏光ビームスプリッタの前記第１の結像器とは異なる側で前記偏光ビームスプリッタに隣接して配置された第２の結像器と、を備え、
前記光源からの光が、前記偏光ビームスプリッタに入射し、更に、入射光の第１の偏光が、前記反射性偏光子を透過し、前記第１の偏光に直交する入射光の第２の偏光が、前記反射性偏光子によって反射し、
前記第２の偏光の光が、前記偏光ビームスプリッタから前記第２の結像器へと進み、結像し、前記偏光ビームスプリッタに向かって後方に反射し、前記第２の結像器から反射した光が、前記偏光ビームスプリッタを通って像平面へと透過し、
前記第１の偏光の光が、前記偏光ビームスプリッタを通じて前記第１の結像器へと透過し、結像し、前記偏光ビームスプリッタに向かって後方に反射し、前記第１の結像器から反射した光が、１２マイクロメートル未満の有効画素解像度で像平面に向かって前記偏光ビームスプリッタで反射する、投影サブシステム。
【請求項４】
偏光サブシステムであって、
第１の結像器と、
前記第１の結像器からの結像光を受光する偏光ビームスプリッタであり、反射性偏光子を備える偏光ビームスプリッタと、を備え、
前記反射性偏光子が、多層光学フィルムを備え、
前記偏光ビームスプリッタが、観察者又はスクリーンに向かって結像光を反射し、前記反射性偏光子が、４５ｎｍ未満の表面粗さＲａ又は８０ｎｍ未満の表面粗さＲｑを有する、偏光サブシステム。
【手続補正書】
【提出日】平成27年9月28日(2015.9.28)
【手続補正１】
【補正対象書類名】特許請求の範囲
【補正対象項目名】全文
【補正方法】変更
【補正の内容】
【特許請求の範囲】
【請求項１】
各陰極アセンブリ（１０４）が複数の陰極ロッド（１０６）を含む複数の陰極アセンブリ（１０４）と、
前記複数の陰極アセンブリ（１０４）の各々に電流を分配するように構成される複数のバスバー（１５２）と、
前記複数の陰極アセンブリ（１０４）の温度が低下させる冷却ガスを移送するように構成されるマニホールド（１５４）と、
を備え、
前記複数のバスバー（１５２）は、前記電流を前記複数の陰極アセンブリ（１０４）の第１の端部に分配するように構成される第１のバスバー（１５２−１）、および前記電流を前記複数の陰極アセンブリ（１０４）の第２の端部に分配するように構成される第２のバスバー（１５２−２）を含み、
前記マニホールド（１５４）は、複数のチューブ（１５８）を経由して前記複数の陰極アセンブリ（１０４）に接続される、
陰極電力分配システム。
【請求項２】
前記複数の陰極ロッド（１０６）は、電気精錬装置の溶融塩電解液中に達するように構成される、請求項１に記載の陰極電力分配システム。
【請求項３】
前記複数の陰極ロッド（１０６）は、同じ方向を向き、同じ平面内にあるように配置される、請求項１に記載の陰極電力分配システム。
【請求項４】
前記第１のバスバー（１５２−１）および前記第２のバスバー（１５２−２）は、複数の陰極ロッド（１０６）の同じ平面に対して垂直になるように配置され、第１のバスバー（１５２−１）は第２のバスバー（１５２−２）と平行である、請求項３に記載の陰極電力分配システム。
【請求項５】
前記第１のバスバー（１５２−１）および前記第２のバスバー（１５２−２）に前記電流を供給するように構成される複数の陰極電力フィードスルーユニット（１３２）をさらに備える、請求項１に記載の陰極電力分配システム。
【請求項６】
前記複数の陰極電力フィードスルーユニット（１３２）は、
前記第１のバスバー（１５２−１）の第１の端部に接続される第１の陰極電力フィードスルーユニット（１３２−１）と、
前記第２のバスバー（１５２−２）の第２の端部に接続される第２の陰極電力フィードスルーユニット（１３２−２）と、
を含み、
前記第２の端部は前記第１の端部の反対側にある、
請求項５に記載の陰極電力分配システム。
【請求項７】
前記第１の陰極電力フィードスルーユニット（１３２−１）および前記第２の陰極電力フィードスルーユニット（１３２−２）は、それぞれ、前記第１のバスバー（１５２−１）および前記第２のバスバー（１５２−２）に前記電流を供給するように構成される、請求項６に記載の陰極電力分配システム。
【請求項８】
前記複数の陰極アセンブリ（１０４）は、陰極アセンブリ（１０４）が陽極アセンブリ（１０８）の両側面に位置するように配置される、請求項１に記載の陰極電力分配システム。
【請求項９】
前記複数の陰極アセンブリ（１０４）の各々は、アセンブリヘッダーバス（１５０）を含み、前記複数の陰極ロッド（１０６）は、前記アセンブリヘッダーバス（１５０）に接続される、請求項１に記載の陰極電力分配システム。
【請求項１０】
前記マニホールド（１５４）は、前記複数の陰極アセンブリ（１０４）を含む領域の外側に配置される、請求項１に記載の陰極電力分配システム。
【請求項１１】
各陰極アセンブリ（１０４）は、前記複数のチューブ（１５８）のうちの２本のチューブ（１５８）を経由して前記マニホールド（１５４）に接続される、請求項１に記載の陰極電力分配システム。
【請求項１２】
前記マニホールド（１５４）は複数のパイプを含み、前記複数のパイプのうちの１本は、前記冷却ガスを受け取るように構成される取入れ開口部（１５６）を含む、請求項１に記載の陰極電力分配システム。
【請求項１３】
陰極電力分配システムにおける電流を分配するための方法であって、
電流を、複数のバスバー（１５２）を経由して、複数の陰極アセンブリ（１０４）の各々に分配するステップと、
前記複数の陰極アセンブリ（１０４）の温度が低下するように、マニホールド（１５４）によって、冷却ガスを移送するステップと、
を含み、
各陰極アセンブリ（１０４）は複数の陰極ロッド（１０６）を含み、
前記複数のバスバー（１５２）は、前記電流を前記複数の陰極アセンブリ（１０４）の第１の端部に分配する第１のバスバー（１５２−１）、および前記電流を前記複数の陰極アセンブリ（１０４）の第２の端部に分配する第２のバスバー（１５２−２）を含み、
前記マニホールド（１５４）は、複数のチューブ（１５８）を経由して前記複数の陰極アセンブリ（１０４）に接続される、
方法。
【請求項１４】
複数の陰極電力フィードスルーユニット（１３２）によって、前記第１のバスバー（１５２−１）および前記第２のバスバー（１５２−２）に前記電流を供給するステップをさらに含む、請求項１３に記載の方法。
【請求項１５】
前記供給するステップは、
第１の陰極電力フィードスルーユニット（１３２−１）によって、前記第１のバスバー（１５２−１）の第１の端部に前記電流を供給するステップと、
第２の陰極電力フィードスルーユニット（１３２−２）によって、前記第２のバスバー（１５２−２）の第２の端部に前記電流を供給するステップと、
をさらに含み、
前記第２の端部は前記第１の端部の反対側にある、
請求項１３に記載の方法。
【手続補正書】
【提出日】平成27年10月19日(2015.10.19)
【手続補正１】
【補正対象書類名】特許請求の範囲
【補正対象項目名】全文
【補正方法】変更
【補正の内容】
【特許請求の範囲】
【請求項１】
少なくとも１つのアルカリ金属又はアルカリ土類金属の化合物及び少なくとも１つの還元剤を含む、アルカリ金属又はアルカリ土類金属の放出のために好適である前駆体の組成物であって、
前記化合物及び還元剤が、ハイブリッド有機−無機バインダー内に粉末の形態で分散され、前記バインダーが少なくとも１つの有機増粘剤成分及び少なくとも１つの無機安定剤成分を含み、前記アルカリ金属又はアルカリ土類金属の化合物が、アルカリ金属又はアルカリ土類金属のジルコニウム酸塩、ケイ酸塩、タンタル酸塩、ニオブ酸塩、タングステン酸塩、モリブデン酸塩、及びチタン酸塩の中から選択される、組成物。
【請求項２】
粘度が５０〜５０００ｃＰである、請求項１に記載の組成物。
【請求項３】
前記アルカリ金属又はアルカリ土類金属の化合物と、前記還元剤との質量濃度の比が１：６〜２：１であり、好ましくは１：４〜１：１である、請求項１又は２に記載の組成物。
【請求項４】
前記無機安定剤成分が、コロイダルシリカ又はゼオライト系のものの中から選択される、請求項１〜３のいずれか一項に記載の組成物。
【請求項５】
前記還元剤が、チタン、ジルコニウム、ケイ素、アルミニウム、及びタンタル等の金属元素、並びにこれらの合金の中から選択される、請求項１〜４のいずれか一項に記載の組成物。
【請求項６】
前記バインダーが、前記前駆体の組成物の全質量に対して、３０〜６０％の範囲の濃度で存在する、請求項１〜５のいずれか一項に記載の組成物。
【請求項７】
基材と、請求項１で定義されたアルカリ金属又はアルカリ土類金属を放出するための前駆体の組成物の堆積物を含む、アルカリ金属又はアルカリ土類金属を放出するためのディスペンサー。
【請求項８】
堆積物がデバイスの内容積中に存在する少なくとも１つの表面に位置する、請求項１で定義されたアルカリ金属又はアルカリ土類金属を放出するための組成物の堆積物を含むデバイス。
【手続補正書】
【提出日】平成27年8月7日(2015.8.7)
【手続補正１】
【補正対象書類名】特許請求の範囲
【補正対象項目名】全文
【補正方法】変更
【補正の内容】
【特許請求の範囲】
【請求項１】
慢性Ｂ型肝炎患者の疾患進行を監視し、及び／又は慢性Ｂ型肝炎患者がＢ型肝炎ウイルスに対する治療を受ける前に治療効果を効果的に予測するための、Ｂ型肝炎ウイルスコアタンパク質に対する抗体のレベルを定量的に検出するための試薬を含む診断剤。
【請求項２】
Ｂ型肝炎ウイルスコアタンパク質に対する抗体の定量的検出が、次の方法：酵素結合免疫吸着アッセイ、化学発光免疫検出法、時間分解蛍光検出法、免疫比濁法、免疫クロマトグラフィー法、免疫ろ過法のうちの１つ又は複数によって実施される、請求項１に記載の診断剤。
【請求項３】
Ｂ型肝炎ウイルスコアタンパク質に対する抗体のレベルの１回の検出の直線ダイナミックレンジが１．５桁以上である、すなわち、１回の検出に対する正確な定量の上限値が、正確な定量の下限値より３２倍以上大きい、請求項１に記載の診断剤。
【請求項４】
Ｂ型肝炎ウイルスコアタンパク質に対する抗体の定量的検出が、以下のステップ：
ａ）Ｂ型肝炎ウイルスコアタンパク質に対する抗体に特異的に結合できるＢ型肝炎ウイルスタンパク質を提供するステップであって、前記タンパク質が、Ｂ型肝炎ウイルスコアタンパク質の完全長のアミノ酸配列（１番目のアミノ酸から１８３番目のアミノ酸まで）を含んでよく、又はＢ型肝炎ウイルスコアタンパク質の主要な免疫優性領域のアミノ酸配列のみ（例えば、１番目のアミノ酸から１４９番目のアミノ酸まで）を含んでよく、前記タンパク質が、固体支持体上に固定され、固相抗原として作用し、血清試料中に存在するＢ型肝炎ウイルスコアタンパク質に対する抗体を捕捉するのに使用される、上記ステップ；
ｂ）固相抗原上で捕捉されるＢ型肝炎ウイルスコアタンパク質に対する抗体に特異的に結合できる標識抗原を提供するステップであって、標識抗原が、Ｂ型肝炎ウイルスコアタンパク質の完全長のアミノ酸配列（１番目のアミノ酸から１８３番目のアミノ酸まで）を含んでよく、又はＢ型肝炎ウイルスコアタンパク質の主要な免疫優性領域のアミノ酸配列のみ（例えば、１番目のアミノ酸から１４９番目のアミノ酸まで）を含んでよく、標識抗原上のシグナル発生物質が、ホースラディッシュペルオキシダーゼ、アルカリホスファターゼ、又はアクリジニウムエステルであり得る、上記ステップ；
ｃ）様々な濃度のＢ型肝炎ウイルスコアタンパク質に対する抗体を含有する、通常３〜６個の試料からなる、定量検量線を描くための濃度が公知の定量標準試料を提供するステップであって、濃度の単位が、ＩＵ／ｍｌ、ＰＥＩＵ／ｍｌ、又は起源を追跡することができる濃度若しくは力価の他の単位であり得る、上記ステップ；
ｄ）試料（試験される試料又は定量標準試料）を固相抗原と接触させ、その結果、前記試料中に存在する場合には、Ｂ型肝炎ウイルスコアタンパク質に対する抗体が捕捉されて、固相抗原−Ｂ型肝炎ウイルスコアタンパク質に対する抗体の複合体を形成する、ステップ；
ｅ）標識抗原を、ステップｄ）の生成物、すなわち、固相抗原−Ｂ型肝炎ウイルスコアタンパク質に対する抗体の複合体と接触させて、その結果、固相抗原−Ｂ型肝炎ウイルスコアタンパク質に対する抗体−標識抗原の複合体を形成させる、ステップ；
ｆ）シグナル発生を活性化できる基質又は溶液を、ステップｅ）で形成された固相抗原−Ｂ型肝炎ウイルスコアタンパク質に対する抗体−標識抗原の複合体と接触させて、その結果、測定可能なシグナルを発生させ、対応する測定機器を用いて、発生したシグナルの強度を測定する、ステップ；
ｇ）定量標準試料（通常、３〜６個の試料）の測定されたシグナルの線形回帰フィッティングをそれらの対応する濃度を用いて実施して、測定シグナルから試料濃度を算出するための数式を得るステップ；
ｈ）試験される試料の測定されたシグナルをステップｇ）の式に導入し、試験される試料中のＢ型肝炎ウイルスコアタンパク質に対する抗体の濃度を算出するステップ；
ｉ）ステップｈ）で算出されたＢ型肝炎ウイルスコアタンパク質に対する抗体の濃度が、検出方法の正確な定量の上限値より高い場合、測定された濃度が対応する検出方法の正確な定量の上限値から下限値の間の範囲に入るまで、試験される試料を希釈し、ステップａ）〜ｈ）を繰り返すステップであって、試験される試料中に含有されるＢ型肝炎ウイルスコアタンパク質に対する抗体の濃度が、希釈後に測定された値に希釈率を掛ける計算によって得られる、上記ステップ
を含む、請求項１に記載の診断剤。
【請求項５】
診断剤が、様々な治療用薬物を与えられる慢性Ｂ型肝炎患者において使用され、前記薬物が、長時間作用性インターフェロン（ペグ化インターフェロン、ペグインターフェロン）、通常のインターフェロン（インターフェロン）、ラミブジン（ＬＭＶ）、アデホビルジピボキシル（ＡＤＶ）、エンテカビル（ＥＴＶ）、テルビブジン（ＬｄＴ）、テノホビル、又は慢性Ｂ型肝炎の治療において有用な他の薬物を含む、請求項１から４までのいずれか一項に記載の診断剤。
【請求項６】
治療の前に患者における治療の治療効果を予測するための一般的な基準が、治療前の患者血清中のＢ型肝炎ウイルスコアタンパク質に対する抗体のレベルがより高い患者において得られる治療効果（奏効率）が、治療前の患者血清中のＢ型肝炎ウイルスコアタンパク質に対する抗体のレベルがより低い患者のものより優れていることであり；治療効果の基準が、Ｂ型肝炎ウイルスＥ抗原セロコンバージョン（すなわち、治療を受ける慢性Ｂ型肝炎患者におけるＨＢｅＡｇ（＋）／抗ＨＢｅ（−）からＨＢｅＡｇ（−）／抗ＨＢｅ（＋）への変換）であってもよく、又はウイルス学的応答（すなわち、慢性Ｂ型肝炎患者において血清ＨＢＶ  ＤＮＡ量が１０００コピー／ｍｌ以下まで減少する）又は疾患状態の寛解若しくは良好な予後を示唆し得る他の臨床的指標であってもよい、請求項１から４までのいずれか一項に記載の診断剤。
【請求項７】
慢性Ｂ型肝炎患者の疾患進行を監視するための一般的な基準が、患者の肝臓炎症の発生及びＢ型肝炎ウイルスに特異的な宿主免疫応答の活性化を示唆する、Ｂ型肝炎ウイルスコアタンパク質に対する抗体のレベルの異常な上昇である、請求項１から４までのいずれか一項に記載の診断剤。
【請求項８】
アデホビルジピボキシル及びペグ化インターフェロンによる治療を受ける慢性Ｂ型肝炎患者の応答を評価するための、抗ＨＢｃを含むキット。
【請求項９】
慢性Ｂ型肝炎患者の疾患進行を監視するための、抗ＨＢｃを含むキット。
【請求項１０】
Ｂ型肝炎患者の病期を予測するための、抗ＨＢｃを含むキット。
【手続補正書】
【提出日】平成27年10月22日(2015.10.22)
【手続補正１】
【補正対象書類名】特許請求の範囲
【補正対象項目名】全文
【補正方法】変更
【補正の内容】
【特許請求の範囲】
【請求項１】
文書を保存するための方法であって、
ユーザーの情報中のサインと関連するユーザー資格情報を受けるステップと、
文書を保存するための要求を受けるステップと、
前記文書を保存するための前記要求を受けることに応じて、前記ユーザーが利用できるストレージサービスのリストを求めるステップであって、ストレージサービスの前記リストは、少なくとも部分的に、前記ユーザー資格情報に基づき、ストレージサービスの前記リストのうちの少なくとも１つのストレージサービスは外部ストレージサービスである、ステップと、
ストレージサービスの前記リストを表示するステップと、
ストレージサービスの前記リストからの少なくとも１つの前記外部ストレージサービスのユーザー選択を受けるステップと、
選択された前記外部ストレージサービスの最近使用された場所のリストを表示するステップと、
選択された前記外部ストレージサービス内の最近使用された場所の前記リストからの場所のユーザー選択を受けることに応じて、選択された前記場所への前記文書の保存を開始するステップと
を含む方法。
【請求項２】
請求項１に記載の方法であって、最近使用された場所の前記リストは、サーバーで管理される、方法。
【請求項３】
請求項１に記載の方法であって、前記外部ストレージサービスは、サードパーティのストレージサービスである、方法。
【請求項４】
請求項３に記載の方法であって、前記サードパーティのストレージサービスは、クラウドストレージサービスである、方法。
【請求項５】
請求項３に記載の方法であって、前記サードパーティのストレージサービスは、前記ユーザーから受けた情報に基づいて、ストレージサービスの前記リストに手動で追加される、方法。
【請求項６】
請求項５に記載の方法であって、前記ユーザーから受けた前記情報は、前記ユーザー資格情報に関連する、方法。
【請求項７】
請求項１に記載の方法であって、情報中の前記サインは、オペレーティングシステムのための情報中のサインである、方法。
【請求項８】
請求項１に記載の方法であって、情報中の前記サインは、前記文書を生成するアプリケーションのための情報中のサインである、方法。
【請求項９】
請求項１に記載の方法であって、前記外部ストレージサービスは、クラウドストレージサービスである、方法。
【請求項１０】
少なくとも１つのプロセッサに、文書を保存するための方法を実行させるコンピューター実行可能命令を記憶したコンピューター可読記憶媒体であって、前記方法は、
ユーザーの情報中のサインと関連するユーザー資格情報を受けるステップと、
文書を保存するための要求を受けるステップと、
前記文書を保存するための前記要求を受けることに応じて、前記ユーザーが利用できるストレージサービスのリストを求めるステップであって、ストレージサービスの前記リストは、前記ユーザー資格情報に少なくとも部分的に基づき、ストレージサービスの前記リストのうちの少なくとも１つのストレージサービスは外部ストレージサービスである、ステップと、
ストレージサービスの前記リストを表示するステップと、
ストレージサービスの前記リストからの少なくとも１つの前記外部ストレージサービスのユーザー選択を受けるステップと、
選択された前記外部ストレージサービスの最近使用された場所のリストを表示するステップと、
選択された前記外部ストレージサービス内の最近使用された場所の前記リストからの場所のユーザー選択を受けることに応じて、選択された前記場所への前記文書の保存を開始するステップと
を含む、コンピューター可読記憶媒体。
【請求項１１】
請求項１０に記載のコンピューター可読記憶媒体であって、最近使用された場所の前記リストは、サーバーで管理される、コンピューター可読記憶媒体。
【請求項１２】
請求項１０に記載のコンピューター可読記憶媒体であって、前記外部ストレージサービスは、サードパーティのストレージサービスである、コンピューター可読記憶媒体。
【請求項１３】
請求項１２に記載のコンピューター可読記憶媒体であって、前記サードパーティのストレージサービスは、クラウドストレージサービスである、コンピューター可読記憶媒体。
【請求項１４】
請求項１０に記載のコンピューター可読記憶媒体であって、情報中の前記サインは、オペレーティングシステムのための情報中のサインである、コンピューター可読記憶媒体。
【請求項１５】
請求項１０に記載のコンピューター可読記憶媒体であって、情報中の前記サインは、前記文書を生成するアプリケーションのための情報中のサインである、コンピューター可読記憶媒体。
【請求項１６】
請求項１０に記載のコンピューター可読記憶媒体であって、前記外部ストレージサービスは、クラウドストレージサービスである、コンピューター可読記憶媒体。
【請求項１７】
文書を保存するためのコンピューターシステムであって、
１つまたは複数のプロセッサと、
前記１つまたは複数のプロセッサに結合された、命令を記憶するためのメモリと
を備え、前記命令は、前記１つまたは複数のプロセッサに方法を実行させ、前記方法は、
ユーザーの情報中のサインと関連するユーザー資格情報を受けるステップと、
文書を保存するための要求を受けるステップと、
前記文書を保存するための前記要求を受けることに応じて、前記ユーザーが利用できるストレージサービスのリストを求めるステップであって、ストレージサービスの前記リストは、少なくとも部分的に前記ユーザー資格情報に基づき、ストレージサービスの前記リストのうちの少なくとも１つのストレージサービスは外部ストレージサービスである、ステップと、
ストレージサービスの前記リストを表示するステップと、
ストレージサービスの前記リストからの少なくとも１つの前記外部ストレージサービスのユーザー選択を受けるステップと、
選択された前記外部ストレージサービスの最近使用された場所のリストを表示するステップと、
選択された前記外部ストレージサービス内の最近使用された場所の前記リストからの場所のユーザー選択を受けることに応じて、選択された前記場所への前記文書の保存を開始するステップと
を含む、コンピューターシステム。
【請求項１８】
請求項１７に記載のコンピューターシステムであって、選択されたストレージサービスと関連する１つまたは複数のフォルダが、ユーザーインターフェイスに表示される、コンピューターシステム。
【請求項１９】
請求項１８に記載のコンピューターシステムであって、前記１つまたは複数のフォルダに関連するファイルパスが前記ユーザーインターフェイスに表示される、コンピューターシステム。
【請求項２０】
請求項１７に記載のコンピューターシステムであって、前記ユーザー資格情報はシングルサインオンの資格情報である、コンピューターシステム。
【請求項２１】
請求項１０から１６の何れか一項に記載のコンピューター実行可能命令を含むプログラム。
【手続補正書】
【提出日】平成27年6月25日(2015.6.25)
【手続補正１】
【補正対象書類名】特許請求の範囲
【補正対象項目名】全文
【補正方法】変更
【補正の内容】
【特許請求の範囲】
【請求項１】
接触域を有するシートまたは箔を備える少なくとも１つの電極を、末端部分を有する導電性リードを備える接触リードに接続する方法であって、
ｉ）前記末端部分と前記接触域との間に重なりがあるように、前記接触リードの前記末端部分および前記少なくとも１つの電極の前記接触域を配置するステップと、
ｉｉ）前記少なくとも１つの電極を前記接触リードに結合するために、前記接触域を前記末端部分に超音波溶接するステップと
を含み、
ここで、前記シートまたは箔の少なくとも前記接触域がアルカリ金属またはアルカリ金属の合金から形成されるものである、方法。
【請求項２】
前記シートまたは箔の全体がアルカリ金属またはアルカリ金属の合金から形成される、請求項１に記載の方法。
【請求項３】
前記アルカリ金属がリチウムまたはリチウム合金からの金属である、請求項１または２に記載の方法。
【請求項４】
前記接触域が前記シートまたは箔の縁から突出しているタブの上に提供される、請求項１〜３のいずれか一項に記載の方法。
【請求項５】
前記末端部分が、ニッケル、銅およびステンレス鋼のうちの少なくとも１つを含む金属または金属合金から形成される、請求項１〜４のいずれか一項に記載の方法。
【請求項６】
前記超音波溶接ステップが３０〜５０ｋＨｚの周波数で実施される、請求項１〜５のいずれか一項に記載の方法。
【請求項７】
前記末端部分が複数のスルーホールを含む材料またはスルーホールがない材料のシートから形成される、請求項１〜６のいずれか一項に記載の方法。
【請求項８】
前記末端部分を複数のスルーホールを含んだ材料の平面状のシートから形成し、前記接触域の金属が前記末端部分の前記スルーホールを通るようにし、これにより、前記超音波溶接ステップの間および／または前記超音波溶接ステップの結果、前記少なくとも１つの電極が前記接触リードに結合される、請求項７に記載の方法。
【請求項９】
前記末端部分にスルーホールがない、請求項７に記載の方法。
【請求項１０】
前記電極のうちの少なくとも２つが少なくとも１つの接触リードに結合され、前記少なくとも２つの電極の前記接触域の間で超音波溶接が行われる、請求項１〜９のいずれか一項に記載の方法。
【請求項１１】
前記電極が互いに揃えられて電極スタックとして配置される際に、前記電極のスタックの前記タブが実質的に整列するように複数の電極を提供し、前記電極の各々がシートまたは箔を備え、前記シートの各々から前記接触域を提供するタブを実質的に同じ位置で突出させるものである、請求項１〜１０のいずれか一項に記載の方法。
【請求項１２】
ステップｉ）にて、前記接触リードの前記末端部分が前記電極スタックの前記タブの頂部に置かれる、請求項１１に記載の方法。
【請求項１３】
ステップｉ）にて、前記接触リードの前記末端部分が前記電極スタックの前記タブの下方に置かれる、請求項１１に記載の方法。
【請求項１４】
ステップｉ）にて、前記接触リードの前記末端部分が前記電極スタックの頂部と底部との間の中間位置に置かれる、請求項１１に記載の方法。
【請求項１５】
前記超音波溶接ステップにて、前記電極スタックの少なくとも２つのタブの間で溶接を行う、請求項１１〜１４のいずれか一項に記載の方法。
【請求項１６】
前記接触リードの前記末端部分が前記接触リードと一体の部分であるか、または前記接触リードの前記末端部分が前記接触リードに結合される個別の金属コンポーネントである、請求項１〜１５のいずれか一項に記載の方法。
【請求項１７】
その縁からタブが突出する第１の金属のシートまたは箔を備えた少なくとも１つの電極を、前記第１の金属と合金を形成しない第２の金属でできた複数のスルーホールを有する末端部分を有する導電性リードを備える接触リードに接続する方法であって、
ａ）前記末端部分と前記タブとの間に重なり、好ましくは実質的な重なりがあるように、前記接触リードの前記末端部分および前記少なくとも１つの電極の前記タブを配置するステップと、
ｂ）前記少なくとも１つの電極を前記接触リードに結合するために、前記タブの金属が前記末端部分の前記スルーホールを通るようにするステップであって、前記タブの金属が、圧着および超音波溶接により前記スルーホールを通されるようにするステップと
を含む請求項１に記載の方法。
【誤訳訂正書】
【提出日】平成27年10月7日(2015.10.7)
【誤訳訂正１】
【訂正対象書類名】明細書
【訂正対象項目名】００３９
【訂正方法】変更
【訂正の内容】
【００３９】
意味ヒートマップモジュール１３５が、インターフェース１７５（例えば、ネットワークインターフェース）を介してクライアント１００からコンテンツの要求および少なくとも１つのターゲット特性を受け取ることが可能であり、さらに要求されたコンテンツに関してヒートマップを計算することが可能である（後段で説明される）。ターゲット特性は、例えば、要求されたコンテンツに関するユーザ目標であることが可能である。ターゲット特性は、概念、または概念に関連することが可能な特性であることが可能である。
【手続補正書】
【提出日】平成27年4月22日(2015.4.22)
【手続補正１】
【補正対象書類名】特許請求の範囲
【補正対象項目名】全文
【補正方法】変更
【補正の内容】
【特許請求の範囲】
【請求項１】
基板と、
前記基板の第１の側に形成された誘電体層と、
前記誘電体層および前記基板を貫通して延びる基板貫通ビアであって、前記基板貫通ビアが導電材料および絶縁層を含み、前記絶縁層が前記導電材料を少なくとも部分的に囲み、前記絶縁層がテーパ部分を備える、基板貫通ビアと
を備え、
前記基板貫通ビアが、前記導電材料の一部分を前記絶縁層から分離するフォトレジスト層の残部をさらに備える半導体デバイス。
【請求項２】
前記絶縁層が、実質的に一定の直径を有する一定部分を備え、前記テーパ部分が変動直径を有し、前記変動直径が前記実質的に一定の直径より大きい、請求項１に記載の半導体デバイス。
【請求項３】
前記導電材料が、実質的に一定の直径を有する第１の部分と、前記テーパ部分の前記変動直径に対応して変動する直径を有する第２の部分とを備える、請求項２に記載の半導体デバイス。
【請求項４】
前記絶縁層の前記テーパ部分が、能動デバイスおよび／または受動デバイスを有する前記基板の前記第１の側に近接して配設される、請求項１に記載の半導体デバイス。
【請求項５】
前記絶縁層の前記テーパ部分が、前記基板の前記第１の側、および前記誘電体層に近接して配設される、請求項１に記載の半導体デバイス。
【請求項６】
前記基板貫通ビアが、前記導電材料を前記絶縁層から分離する多層キャップ層をさらに備える、請求項１に記載の半導体デバイス。
【請求項７】
前記半導体デバイスの一部分が、音楽プレーヤ、ビデオプレーヤ、娯楽ユニット、ナビゲーションデバイス、通信デバイス、携帯情報端末（ＰＤＡ）、固定位置のデータユニット、およびコンピュータの内の少なくとも１つに組み込まれる、請求項１に記載の半導体デバイス。
【請求項８】
半導体基板と、
前記基板の第１の側に形成された誘電体層と、
前記誘電体層および前記基板を通って伝導するための手段と、
前記伝導手段を絶縁するための手段であって、前記伝導手段を囲み、テーパ部分を備える絶縁手段と
を備え、
前記基板貫通ビアが、前記導電材料の一部分を前記絶縁層から分離するフォトレジスト層の残部をさらに備える半導体デバイス。
【請求項９】
前記伝導手段の一部分が、
前記絶縁手段の前記テーパ部分に少なくとも部分的に基づいて直径が変動する、請求項８に記載の半導体デバイス。
【請求項１０】
前記絶縁手段の前記テーパ部分が、能動デバイスおよび／または受動デバイスを有する前記基板の前記第１の側に近接して配設される、請求項８に記載の半導体デバイス。
【請求項１１】
前記絶縁手段の前記テーパ部分が、前記基板の前記第１の側、および前記誘電体層に近接して配設される、請求項８に記載の半導体デバイス。
【請求項１２】
前記半導体デバイスの一部分が、音楽プレーヤ、ビデオプレーヤ、娯楽ユニット、ナビゲーションデバイス、通信デバイス、携帯情報端末（ＰＤＡ）、固定位置のデータユニット、およびコンピュータの内の少なくとも１つに組み込まれる、請求項８に記載の半導体デバイス。
【手続補正書】
【提出日】平成27年10月23日(2015.10.23)
【手続補正１】
【補正対象書類名】明細書
【補正対象項目名】００１５
【補正方法】変更
【補正の内容】
【００１５】
ここで図１〜図３を参照すると、カテーテル固定用手当用品１００が、示されている。
以下でより詳細にさらに説明するように、カテーテル固定用手当用品１００は、折り線１１８を中心として折り重ね可能な上部１３０および下部１２０を有する手当用品本体１１０を含むことができる。下部１２０は、患者の皮膚に接触し接着するための下部１２０の接触面に接着剤層１１４を含むことができる。カテーテル固定用手当用品１００が折り線１１８を中心に所定位置に折り重ねられる場合、上部１３０は、下部１２０の上面と上部１３０の接着剤層１１６との間に接着をもたらすように、接着剤層１１４に対し本体１１０における対向する面に、接着剤層１１６を含むことができる。剥離裏地１４０は、以下でさらに詳細に説明するように、カテーテルのところが、その最終の位置へ折り重ねられる固定用手当用品１００の準備が整うまで不注意および時期尚早な接触から接着剤層１１６を保護するように設けられ得る。
【手続補正書】
【提出日】平成27年5月22日(2015.5.22)
【手続補正１】
【補正対象書類名】特許請求の範囲
【補正対象項目名】全文
【補正方法】変更
【補正の内容】
【特許請求の範囲】
【請求項１】
呼吸装置内に入る空気をろ過する為に配置されたフィルタと、
ろ過された空気を受け入れて加圧する為に配置された気流生成器と、
ろ過された空気が通過するのを可能にする為に配置された逆止弁と、
使用者の気道にろ過された空気を送る為のマスクと、
気流生成器から空気を受け入れる為の第１の入口、逆止弁から空気を受け入れる為の第２の入口、及びマスクと連通している出口を有する多岐管と、
を有する呼吸装置であって、
ろ過された空気を気流生成器又は逆止弁を通してマスクに送ることを特徴とする呼吸装置。
【請求項２】
気流生成器を運転することにより第１の入口を通してろ過された陽圧空気が運ばれ、それによって逆止弁が密閉されることを特徴とする請求項１に記載の呼吸装置。
【請求項３】
使用者の気道によりマスク内に陰圧を加えることによって、第２の入口及び逆止弁を通してろ過された空気が運ばれることを特徴とする請求項１に記載の呼吸装置。
【請求項４】
前記フィルタ及び前記気流生成器が、前記マスクから離れて配置された生成器ユニット内に収容されていることを特徴とする請求項１〜３のいずれか１つに記載の呼吸装置。
【請求項５】
前記逆止弁が前記多岐管内に収容されていることを特徴とする請求項４に記載の呼吸装置。
【請求項６】
前記多岐管が前記生成器ユニット内に収容されていることを特徴とする請求項５に記載の呼吸装置。
【請求項７】
さらに、前記出口及び前記マスクの間にろ過された空気を運ぶ為に、前記出口及び前記マスクを接続する導管を有することを特徴とする請求項６に記載の呼吸装置。
【請求項８】
前記生成器ユニットが使用者の首を少なくとも部分的に取り囲むのに適していることを特徴とする請求項４〜６のいずれか１つに記載の呼吸装置。
【請求項９】
さらに、前記マスクに接続されており、使用者の頭上に付けるのに適しているハーネスを有し、そして、前記生成器ユニットが前記ハーネスに接続されていることを特徴とする請求項８に記載の呼吸装置。
【請求項１０】
前記ハーネスが、前記マスクの両側から伸びるように配置され、使用者の頭を少なくとも部分的に取り囲む少なくとも２つの側方ストラップ、及び、前記少なくとも２つの側方ストラップ及び前記生成器ユニットの間に接続された少なくとも１つの後方ストラップを有することを特徴とする請求項９に記載の呼吸装置。
【請求項１１】
さらに、前記マスクから空気の排出を可能にするのに適している呼気弁を有していることを特徴とする請求項１〜１０のいずれか１つに記載の呼吸装置。
【請求項１２】
前記呼気弁がさらに、呼気弁を通過する空気をろ過する為に配置されたフィルタを有することを特徴とする請求項１１に記載の呼吸装置。
【請求項１３】
さらに、前記マスクから前記呼気弁を通して空気を運ぶ為に配置された排気気道を有することを特徴とする請求項１１又は１２に記載の呼吸装置。
【請求項１４】
前記生成器ユニットが、首部サポートにより、使用者の首に対して間隔をあけた位置に支持されていることを特徴とする請求項８に記載の呼吸装置。
【請求項１５】
さらに、前記気流生成器を制御して、前記使用者の呼吸に応じてろ過された空気の加圧を変化させる制御ユニットを有することを特徴とする請求項１〜１４のいずれか１つに記載の呼吸装置。
【手続補正書】
【提出日】平成27年11月6日(2015.11.6)
【手続補正１】
【補正対象書類名】明細書
【補正対象項目名】００６２
【補正方法】変更
【補正の内容】
【００６２】
図５はまた、ニードル・アセンブリ５００と、投薬インターフェース２００の遠位端に連結された保護カバー５２０とを示し、保護カバー５２０は、インターフェース２００のニードル・ハブ上へねじ込むことができる。図６は、図５の投薬インターフェース２００上に取り付けられた両頭針アセンブリ５０２の横断面図を示す。